(57)【特許請求の範囲】
【請求項１】
家具本体と、この家具本体の端面に添い設ける笠木等の長尺外装材と、この長尺外装材の複数箇所に設けた皿ビス用のビス孔と、これらビス孔に対応させて前記家具本体側に配した複数のナット部材と、これらナット部材の全部又は一部の前記長尺外装材に対する接近移動を禁止し、且つ、前記長尺外装材の長手方向への遊動を許容した状態で、前記ナット部材の全部又は一部を前記家具本体に保持させるナット部材取付手段と、前記各ビス孔を通して前記各ナット部材に定着した皿ビスとを具備してなり、
前記ナット部材取付手段が、前記ナット部材の両側に突出させた突起と、前記家具本体の対向する壁面板にそれぞれ設けられ前記突起を長尺外装材の長手方向に移動可能に保持する長孔とを具備してなり、
前記ナット部材の突起の軸線を該ナット部材のねじ孔から偏移させており、前記突起の断面形状を非円形状のものにして該突起が前記長孔内で前記軸線回りに回転しないように構成していることを特徴とする家具。
【請求項２】
家具本体が、構造枠を備えた可動間仕切壁の本体であり、長尺外装材が、その本体の上端面に装着される笠木である請求項１記載の家具。
【請求項３】
ナット部材が、構造枠の左右の縦枠材内にそれぞれ配されている請求項２記載の家具。
【請求項４】
ナット部材取付手段が、ナット部材の両側に突出させた突起と、前記縦枠材の対向する壁面板にそれぞれ設けた長孔とを具備してなり、それら両長孔に前記両突起を、笠木の長手方向に移動可能に嵌め合わせたものである請求項３記載の家具。
【発明の詳細な説明】
【０００１】
【発明の属する技術分野】
本発明は、笠木等の長尺外装材を有する可動間仕切壁などの家具に関するものである。
【０００２】
【従来の技術】
この種の家具、例えば、可動間仕切壁においては、その上端部に種々の態様で笠木が取り付けられているが、剛性のある金属材料等により作られた笠木を使用する場合には、間仕切壁本体の上端部所要箇所にナットを固設しておき、笠木の両端部を前記ナットに定着されるビスを用いてパネルに取り付けるのが一般的である。
【０００３】
【発明が解決しようとする課題】
ところが、通常のビスをこのような箇所に使用する場合には、ビスの頭部を何らかの手段により隠蔽しないと家具の概観が損なわれる。そのため、ビスの頭部を隠すためのビスカバーなどが必要になり、部品点数の増加を招いて組み立てや分解に手間と時間がかるという問題が発生する。
【０００４】
このような不具合を解消するために、笠木取付用のビスとして、定着状態において頭部外面が笠木の上面と略面一となる皿ビスを使用し、ビスの頭部を隠蔽するための格別な部品を省略することが検討されている。
ところで、このような構成を採用する場合には、開口端部にテーパ受座を有するロート状のビス孔を笠木の両端部にそれぞれ形成しておくことが必須となるが、このようなビス孔に皿ビスをそれぞれ適切に装着するには、両皿ビスの軸心間の距離に比較的高い精度が要求される。ところが、精密機械とは異なり、この種の家具の本体に設けたナットの軸心間距離を高い精度で管理することは困難である。そのため、組み立て時に製作誤差によって笠木を取り付けるための皿ビスの一方がうまく装着できないという不都合を招くおそれがある。
【０００５】
【課題を解決するための手段】
前記の問題点を解決するために、本発明は、笠木等の長尺外装材の複数箇所に皿ビス用のビス孔を設けるとともに、これらビス孔に対応させて前記家具本体側にナット部材を配しておき、前記各ビス孔に装着した皿ビスを対応するナット部材に定着して前記長尺外装材を家具本体の端面に取り付けるにあたり、ナット部材の全部又は一部をナット部材取付手段により、前記長尺外装材に対する接近移動を禁止し、且つ、前記長尺外装材の長手方向への遊動を許容した状態で保持するようにしたことを前提とするものである。
【０００６】
このような構成のものであれば、家具本体に設けられた複数のナット部材の軸心間距離を、ナット部材取付手段により保持されたナット部材の遊動により変化させることが可能となる。そのため、家具本体に多少の製作誤差は存在しても、ナット部材の軸心間距離を、皿ビスの正規の軸心間距離に合致するよう修正することができるようになる。したがって、各皿ビスを無理なく正常に装着することが可能となる。
【０００７】
具体的な態様としては、家具本体が、構造枠を備えた可動間仕切壁の本体であり、長尺外装材が、その本体の上端面に装着される笠木であるものを挙げることができる。
【０００８】
また、このような場合、ナット部材を、構造枠の左右の縦枠材内にそれぞれ配するのがスペース的に有利である。さらに、このようなものであれば、前記笠木の両端を浮き上がらせないように添い設けることができるようになる。また、前記構造枠が左右の縦枠材を複数本の横枠材により結合したものである場合に、これら縦枠材と横枠材との間に生じる可能性のある隙間部分も含めて、ナット部材の軸心間距離を皿ビスの正規の軸心間距離に合致するように修正することが可能になり、特に有効なものとなる。
【０００９】
かかる位置にナット部材を配する場合、ナット部材取付手段としては、ナット部材の両側に突出させた突起と、前記縦枠材の対向する壁面板にそれぞれ設けた長孔とを具備してなり、それら両長孔に前記両突起を、笠木の長手方向に移動可能に嵌め合わせたものを挙げることができる。
【００１０】
皿ビスの緩み止めを更に効果的に行うために、本発明は、ナット部材取付手段が、前記ナット部材の両側に突出させた突起と、前記家具本体の対向する壁面板にそれぞれ設けられ前記突起を長尺外装材の長手方向に移動可能に保持する長孔とを具備してなり、前記ナット部材の突起の軸線を該ナット部材のねじ孔から偏移させており、前記突起の断面形状を非円形状のものにして該突起が前記長孔内で前記軸線回りに回転しないように構成している。このような構成にしておけば、ナット部材のねじ孔に皿ビスをねじ込んで締め付けて行くと、ナット部材に突起の軸線回りに回転しようとするモーメントが作用し、ナット部材と家具本体との間の摩擦のみならず、ナット部材と皿ビスとの間の摩擦も増加することになり、皿ビスの緩みが効果的に抑制される。
【００１１】
【発明の実施の形態】
以下、本発明の実施の形態を図面を参照して説明する。
【００１２】
図１に示す実施の形態は、本発明を家具の一種である可動間仕切壁Ｗに適用した場合のものである。
【００１３】
この可動間仕切壁Ｗは、家具本体である間仕切壁本体１００の上端面に長尺外装材である笠木Ｋを装着している。
【００１４】
間仕切壁本体１００は、複数のパネル１を左右方向に図示しない連結機構によって連結してなるもので、各パネル１の上端に該パネル幅に対応する長さの笠木Ｋをそれぞれ装着するようにしてある。各パネル１は、構造枠２の前後両面にパネル要素Ｐを配したもので、前記構造枠２は、左右の縦枠材３を複数本の横枠材４により結合したものである。
【００１５】
図２に示した笠木Ｋは、笠木本体５と、該笠木本体５が間仕切壁本体１００の側端に位置する笠木本体の開口部分を覆うように取り付ける笠木キャップ６とからなるものである。具体的には、笠木本体５は、アルミなどの金属を押出形成したもので、図５および図８に示すようにその前後幅をパネル１の前後幅と略等しくした底壁部５０と、この底壁部５０の前後端部から内側寄りに起立させて設けた２つの起立壁部５１と、この起立壁部５１の上端部に設けた頂壁部５２とを具備し、さらに、該笠木本体５の間仕切壁本体１００に対する前後方向の位置決めをするための位置決め部Ｉと、前後両側に長手方向に渡って形成したオプション物取付部Ｏ（図８参照）とを設けたものである。そして、前記底壁部５０と、２つの起立壁部５１と、頂壁部５２に囲まれた空間Ｓ（図７、８参照）を長手方向に沿って形成するとともに左右両端を開口させた開口部５３（図５参照）を設けている。位置決め部Ｉは、図８に示すように、底壁部５０と、該底壁部５０の下端部側に縦枠材３の前後方向外幅寸法より若干大きい距離だけ離間させて一体成形した２つのリブ５４とからなり、該笠木本体５を前記パネル１に装着する際に、このリブ５４で縦枠材３を挟み、間仕切壁本体１００の上端面たる縦枠材３、横枠材４およびパネル要素Ｐの上端部分に底壁部５０の下端部５００を当てるようにして位置決めするようにしたものである。また、オプション物取付部Ｏは、図８に示すように頂壁部５２をその前後端とも内向きコ字状を形成するように下方に折り曲げて設けた折曲部５５と、起立壁部５１と、前記底壁部５０の起立壁部５１より外側部分とよって長手方向に沿った溝形状を形成したものである。このようなオプション物取付部Ｏは、例えば、オプション物に設けた係り合い爪を前記折曲部５５に引っ掛けるようにして、底壁部５０で該オプション物の下端部分を支持させて片持ち状に取り付けることができる。
【００１６】
また、笠木キャップ６は、前記笠木本体５の開口部５３を覆うキャップ部６０と、このキャップ部６０を前記笠木本体５に取り付けるための取付部６１とからなる。キャップ部６０は、笠木本体５と同素材あるいは樹脂成形材によって、その側面視を開口部５３を隠蔽し得るような形状に形成した薄板状のものである。取付部６１は、前記笠木本体５の開口部５３から左右方向から挿入する挿入部６１ａと、この挿入部６１ａに一体に設けた固定用の弾性爪６１ｂとを具備してなるものである。挿入部６１ａは、その前後幅を前記笠木本体５の２つの起立壁部５１の離間距離より小さく設定した基板部６１ａ１と、その前後両縁に起立する起立部６１ａ２とからなるチャネル状のものである。また、弾性爪６１ｂは、図３に示すように基板部６１ａ１に、基端部分を残して周囲を該基板部６１ａ１から切り離すとともに下端側を突起させて形成したもので、前後に２箇所設けている。
【００１７】
パネル要素Ｐは、板金製の板状部材の内面に芯材を充填してなる長方形状のもので、裏面側に図示しない爪部を備えており、その爪部を利用して前記縦枠材３や、横枠材４に着脱可能に装着されている。この図示例では、装着状態においてパネル要素２の裏面が縦枠材の壁面板３０、３１に密接するようにしているが、例えば、パネル要素Ｐの爪部に図示しない適宜なかさ上げ用のスペーサ要素を設けて、装着されたパネル要素Ｐの裏面と縦枠材３との間に隙間が形成されるようにしてもよい。この場合には、もちろん前記笠木Ｋを、その前後方向の幅を対応させて形成する。
【００１８】
縦枠材３は、それぞれ剛性を有する板金素材に曲げ加工を施すことにより作られたもので、対をなす前後の壁面板３０、３１と、これら両壁面板３０、３１の外方側縁間に位置する外側端板３２と、前記両壁面板３０、３１の内側縁間に位置する内側端板３３とを一体的に備えた略角パイプ状をなしている。
【００１９】
このような可動間仕切壁Ｗにおいて、図１および図４、５に示すように笠木Ｋの両端近傍部に皿ビスＢ用のビス孔７をそれぞれ設けるとともに、これらビス孔７に対応させて前記間仕切壁本体１００側にナット部材８を配しておき、前記各ビス孔７に装着した皿ビスＢを対応するナット部材８に定着して前記笠木Ｋを間仕切壁本体１００の上端面に取り付けるようにしている。そして、ナット部材８の全部をナット部材取付手段Ｎにより、前記笠木Ｋに対する接近移動は禁止し且つ前記笠木Ｋの長手方向への遊動は許容した状態で保持するようにしている。
【００２０】
詳述すれば、図５から図８に示すようにナット部材８は、平面視長方形をなす厚肉ブロック状のもので、前記構造枠２の左右の縦枠材３内にそれぞれ配されている。そして、このナット部材８に、本発明に係るねじ孔８ａと、他の目的で設けたねじ孔８ｂとを設けている。
【００２１】
ナット部材取付手段Ｎは、前記ナット部材８の両側に一体に突出させた突起９と、前記縦枠材３の対向する壁面板３０、３１にそれぞれ設けた長孔１０ａ、１０ｂとを具備してなり、それら両長孔１０ａ、１０ｂに前記両突起９を、笠木本体５の長手方向への移動可能に嵌め合わせたものである。
【００２２】
前記突起９は、その軸線Ｃをナット部材８のねじ孔８ａから偏移させて該ナット部材８の両側に突出させたものである。そして、各突起９の横断面形状は、図７に示すように前記長孔１０ａ、１０ｂ内で軸線Ｃ回りに回転しないようにするために非円形状にしてある。具体的には、正面視横長長方形をなす前記長孔１０ａ、１０ｂに対して、突起９の横断面形状は、該長孔１０ａ、１０ｂの短辺の長さより若干小さい１辺を有した略正方形のものにしてある。突起９の横断面形状は、長孔１０ａ、１０ｂに嵌め合わせた状態で軸線Ｃ回りに回転しない形状であればどのようなものでもよく、例えば、横断面小判型、６角形状、８角形状その他の多角形状などであってもよい。そして両突起９の先端間の距離は、前記縦枠材３の前後方向外幅寸法と略等しく設定してある。
【００２３】
それぞれの壁面板３０、３１は、その一部分に対向するように内向きの凹部３００、３１０（図６参照）を形成して、前記突起９を架けるための架けしろを確保している。
【００２４】
長孔１０ａ、１０ｂは、それぞれの壁面板３０、３１の前記凹部３００、３１０に、正面視長方形状に開口させて設けたものである。さらに本実施の形態では、図６に示すように、壁面板３１に設けた長孔１０ｂの左右幅を、他方の壁面板３０に設けた長孔１０ａよも大きく設定して、前記突起９の水平方向に沿った回転挿入をしやすくしているが、長孔１０ａと長孔１０ｂとが同じ形状であっても構わない。
【００２５】
次に、以上のような構成において、笠木Ｋを間仕切壁本体１００に取り付ける場合について説明する。
【００２６】
まず、パネル１の左右の縦枠材３に対して、一方の突起９を壁面板３０に設けた長孔１０ａに挿入し、他方の突起９を水平方向に回転させるように壁面板３１側の長孔１０ｂに挿入して、ナット部材８を壁面板３０，３１間に架け渡すように取り付ける。一方、笠木本体５の端部の開口部５３に、笠木キャップ６を、弾性爪６１ｂを変形させながら取付部６１を空間Ｓ内に挿入して該弾性爪６１ｂによって固定して取り付けておく。そして、このように笠木本体５に笠木キャップ６を装着した笠木Ｋを、パネル１に対して、位置決め部Ｉによって前後方向の位置決めをしつつ、ビス孔をナット部材８のねじ孔８ａにほぼ対応させるように配置する。そして、上方から皿ビスＢを挿入して、ねじ孔８ａに締結させる。さらに、他方の縦枠材３に設けたナット部材８のねじ孔８ａに皿ビスＢを締結し、笠木Ｋの両端が浮き上がらないようにする。この際、長孔１０ａ、１０ｂ内で突起９の長手方向の位置調節を行うことで、ナット部材８の軸心間距離を、皿ビスＢの正規の軸心間距離に合致するよう修正し、ビス孔７とその軸を一致させたねじ孔８ａに、皿ビスＢを挿入してねじ込んでいく。なお、本実施の形態では、構造枠２が左右の縦枠材３を複数本の横枠材４により結合したものであり、ナット部材８を左右の縦枠材３に設けたので、縦枠材３と横枠材４との間に生じる可能性のある隙間部分も含めて、ナット部材８の軸心間距離を皿ビスＢの正規の軸心間距離に合致するよう修正することができる。同様にして、各パネル１に笠木Ｋを装着して、間仕切壁本体１００の上端面全面に笠木Ｋを装着する。
【００２７】
以上詳述したように、本実施形態の間仕切壁本体１００は、突起９の断面を、前記長孔１０ａ、１０ｂの短辺の長さより若干小さい１辺を有した略正方形状にして、突起９の長孔１０ａ、１０ｂ内での上下方向の移動は規制するともに、長孔１０ａ、１０ｂの長辺の長さ範囲内で突起９の長手方向の移動を可能に保持するように構成したナット部材取付手段Ｎを設けたので、ナット部材８を、笠木本体５側へ接近しないようにするとともに長手方向へ遊動することができる。すなわち、左右の縦枠材３に配したナット部材８の軸心間距離を、該ナット部材８の遊動によって変化させることができる。このため、間仕切壁本体１００に多少の製作誤差が存在しても、ナット部材８の軸心間距離を、皿ビスＢの正規の軸心間距離に合致するよう修正することができ、皿ビスＢを無理なく正常に装着することができる。
【００２８】
また、ナット部材８を縦枠材３の内部の空間に配するようにしたので、笠木Ｋと間仕切壁本体１００との間などにナット部材８を取り付けるためのスペースを取る必要がない。
【００２９】
また、ナット取付手段Ｎを、ナット部材８の両側に突出させた突起９と、縦枠材３の対向する壁面板３０、３１にそれぞれ設けた長孔１０ａ、１０ｂとから構成し、それら両長孔１０ａ、１０ｂに前記両突起９を、笠木本体５の長手方向に移動可能に嵌め合わせるようにしたので、縦枠材３には、長孔１０ａ、１０ｂを開口するための加工をするだけで、ナット部材８を取り付けることができる。
【００３０】
突起９を、その軸線Ｃをナット部材８のねじ孔８ａから偏移させてナット部材８の両側に突出させるとともに横断面形状を略正方形にして、長孔１０ａ、１０ｂ内で軸線Ｃ回りに回転しないようにしたので、ナット部材８のねじ孔８ａに皿ビスＢをねじ込んで締め付けに伴うナット部材８に前記突起９の軸線Ｃ回りに回転しようとするモーメントの作用で、ナット部材８と縦枠材３に設けた長孔１０ａ、１０ｂとの間の摩擦およびナット部材８と皿ビスＢとの間の摩擦が増加し、皿ビスＢの緩みを効果的に抑制することができる。
【００３１】
本発明は、以上のような実施形態に限られない。
【００３３】
また、本実施の形態においては、長尺外装物を、笠木Ｋとしたが、これに限らず、家具本体の端面に添い設けるものであれば、例えば枠体のようなものでもよい。
【００３４】
その他、各部の具体的構成についても上記実施形態に限られるものではなく、本発明の趣旨を逸脱しない範囲で種々変形が可能である。
【００３５】
【発明の効果】
以上詳述したように、本発明は、家具本体に設けられた複数のナット部材の軸心間距離を、ナット部材取付手段により保持されたナット部材の長手方向の遊動により変化させることができ、その結果、家具本体に多少の製作誤差は存在しても、ナット部材の軸心間距離を、皿ビスの正規の軸心間距離に合致するよう修正することができる。したがって、各皿ビスを無理なく正常に装着することができる。
【図面の簡単な説明】
【図１】本発明の一実施の形態を示す全体図。
【図２】同実施の形態における笠木を示す平面図。
【図３】図２におけるＡ−Ａ端面図。
【図４】本実施形態を示す要部の斜視図。
【図５】図４における分解斜視図。
【図６】本実施形態におけるナット部材取付手段を示した端面図。
【図７】図４におけるＸ−Ｘ断面図。
【図８】図４におけるＹ−Ｙ断面図。
【符号の説明】
１・・・パネル
２・・・構造枠
３・・・縦枠材
７・・・ビス孔
８・・・ナット部材
８ａ・・・ねじ孔
９・・・突起
１０ａ・・・長孔
１０ｂ・・・長孔
３０、３１・・・壁面板
１００・・・間仕切壁本体（家具本体）
Ｃ・・・軸線
Ｂ・・・皿ビス
Ｋ・・・笠木(長尺外装物）
Ｎ・・・ナット部材取付手段
Ｐ・・・パネル要素
Ｗ・・・可動間仕切壁
【図１】
0004780880.tif 000002
【図２】
0004780880.tif 000003
【図３】
0004780880.tif 000004
【図４】
0004780880.tif 000005
【図５】
0004780880.tif 000006
【図６】
0004780880.tif 000007
【図７】
0004780880.tif 000008
【図８】
0004780880.tif 000009